【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
端末宛先における表示のために、ブロードバンド通信ネットワークリンクを介した送信のためのメディア及びデータをパッケージするコンピュータ実現方法であって、
前記端末宛先への送信のために、それぞれがコンンテンツメッセージのフラグメントを含む複数のメディアセグメントをデータベースから収集するステップと、
前記端末宛先への送信のためのターゲット情報であって、前記複数のメディアセグメント及びターゲットセグメントの視聴者の二又はそれ以上から形成される前記コンテンツメッセージの複数のバージョンを定義するターゲット情報を生成するステップと、
前記複数のメディアセグメント及び前記ターゲット情報を単一の電子パッケージファイルにパッケージするステップと、
前記単一の電子パッケージファイルをアンパックする命令であって、前記ターゲットセグメント視聴者に基づいてアセンブリするように前記コンテンツメッセージの複数のバージョンの一つを決定し、そして、収集した前記複数のメディアセグメントの一又は二以上をアセンブルして前記コンテンツメッセージを生成し、さらに、前記ターゲット情報にしたがってアセンブルされた前記コンテンツメッセージを前記端末宛先において表示するように前記ターゲット情報を分析することを前記端末宛先に指示するように構成された命令と前記単一の電子パッケージファイルとを送信するステップと、
を含む、方法。
【請求項２】
前記アンパックは、実質的にオンデマンドで生じさせる、請求項１に記載の方法。
【請求項３】
前記パッケージを行っている間、最適化手順を用いて、前記パッケージのサイズを最適化するステップをさらに含む、請求項１に記載の方法。
【請求項４】
前記メディアセグメントは、広告のセグメントである、請求項１に記載の方法。
【請求項５】
前記端末宛先は、ユーザのセットトップボックスである、請求項１に記載の方法。
【請求項６】
ターゲット命令にしたがった端末宛先における表示のために、メディア及びデータをアンパックするコンピュータ実現方法であって、
コンンテンツメッセージのフラグメント、及び、複数のメディアセグメントと前記コンテンツメッセージの複数のバージョンそれぞれについてのターゲットセグメントの視聴者との二又はそれ以上から形成される前記コンテンツメッセージの前記複数のバージョンを定義するターゲット情報、を含む前記複数のメディアセグメントを有する単一の電子パッケージファイルをネットワークを通じて受信するステップと、
前記複数のメディアセグメント及び前記ターゲット情報を前記単一の電子パッケージファイルからアンパックするステップと、
前記コンテンツメッセージの前記複数のバージョンの一つを前記ターゲット情報に基づいて識別するステップと、
前記コンテンツメッセージの複数のバージョンの前記一つを、前記複数のメディアセグメントの二又はそれ以上から前記ターゲット情報を用いて前記端末宛先における表示のためにアセンブルされたコンテンツメッセージにアセンブルするステップと、
を含む、方法。
【請求項７】
前記アンパックは、実質的にオンデマンドで実行される、請求項６に記載の方法。
【請求項８】
前記メディアセグメントは、音声セグメント及びビデオセグメントを含み、前記アセンブルするステップは、
音声セグメントを連結するステップと、
映像セグメントを連結するステップと、
連結された前記音声セグメント及び映像セグメントを統合するステップと、
統合及び連結された前記音声セグメント及び映像セグメントを表示のために送付するステップと、
を含む、請求項７に記載の方法。
【請求項９】
端末宛先における表示のために、ブロードバンドネットワークリンクを介したメディアセグメントを送付するコンピュータ実現方法であって、
中間キャッシュサーバへの送信のために、それぞれがコンンテンツメッセージのフラグメントを含む複数のメディアセグメントをデータベースから収集するステップであって、前記中間キャッシュサーバから前記端末宛先への固有の送信経路が在る、ステップと、
前記中間キャッシュサーバへの送信のためのターゲット情報であって、前記複数のメディアセグメント及びターゲットセグメントの視聴者の二又はそれ以上から形成される前記コンテンツメッセージの複数のバージョンを定義するターゲット情報を生成するステップと、
収集した前記複数のメディアセグメント及び前記ターゲット情報を単一の電子パッケージにソースとなる場所でパッケージするステップと、
前記単一の電子パッケージを前記ソースとなる場所から前記キャッシュサーバに前記ブロードバンドネットワークリンクを通じて送信するステップと、
前記中間キャッシュサーバにおいて前記単一の電子パッケージを実質的にオンデマンドでデパッケージする命令であって、前記ターゲットセグメント視聴者に基づいてアセンブリするように前記コンテンツメッセージの複数のバージョンの一つを決定し、そして、前記複数のメディアセグメントの一又は二以上をアセンブルして前記コンテンツメッセージを生成し、さらに、前記ターゲット情報にしたがってアセンブルされた前記コンテンツメッセージを前記端末宛先において表示するように前記ターゲット情報を分析することを前記端末宛先に指示するように構成された命令を送信するステップと、
を含む、方法。
【請求項１０】
前記中間キャッシュサーバにおける前記単一の電子パッケージの実質的にオンデマンドによるデパッケージを行うための送信のステップの前に、前記メディアセグメントを予め処理するステップをさらに含む、請求項９に記載の方法。
【請求項１１】
前記予め処理するステップは、前記メディアセグメントを、前記端末宛先において要求されるフォーマットと互換性のあるフォーマットに前記ソースとなる場所において変換するステップを含む、請求項１０に記載の方法。
【請求項１２】
前記パッケージするステップは、インデックステーブル、メディアアセット及びアッセンブリテーブルを少なくとも有するパッケージファイルを生成するステップを含む、請求項９に記載の方法。
【請求項１３】
前記インデックステーブルは、前記パッケージファイルにおける識別されたメディアセグメントへの場所及び長さポインタとセグメントのタイプとを少なくとも含む、請求項１２に記載の方法。
【請求項１４】
前記アッセンブリテーブルは、異なる人口学的エピソードにおける表示のためのメディアセグメントの連結に関する命令を少なくとも含む、請求項１２に記載の方法。
【請求項１５】
前記人口学的エピソードは、時間間隔である、請求項１４に記載の方法。
【請求項１６】
前記パッケージするステップは、
第１のフォーマットで複数の第１の映像ファイルを生成するステップと、
第２のフォーマットで複数の第１の音声ファイルを生成するステップと、
前記第１の映像ファイルを、前記端末宛先における使用に互換性を有する第３のフォーマットに変換するステップと、
前記第１の音声ファイルを、前記端末宛先における使用に互換性を有する第４のフォーマットに変換するステップと、
中間キャッシュサーバへの送信のために、変換された前記ファイルをパッケージファイルで多重化するステップと、
を含む、請求項１に記載の方法。
【請求項１７】
前記アンパックは、
前記中間キャッシュサーバにおいて、送信された前記パッケージファイルをデパッケージし、映像メディアセット及び音声メディアザセットを生成するステップと、
前記中間キャッシュサーバにおいて、前記音声メディアアセット及び映像メディアアセットを連結するステップと、
連結された前記ファイルを前記中間キャッシュサーバから前記端末宛先への固有の単一経路に出力するステップと、
を含む、請求項１６に記載の方法。
【請求項１８】
前記第３及び第４のフォーマットは、前記端末宛先において直接的に利用可能なフォーマットである、請求項１６に記載の方法。
【請求項１９】
前記アンパックは、前記端末宛先で生じさせる、請求項１に記載の方法。